(57)【要約】【課題】フード部の内部に異物が侵入することを完全に防止する。【解決手段】本明細書によって開示されるコネクタ（中継コネクタ１０）は、第１端子２２が内部に収容される端子収容部２４を有する第１ハウジング２１と、第１ハウジング２１が内部に収容されるフード部５２を有し、フード部５２が全周に亘って環状につながって構成された第２ハウジング５１と、第１端子２２に固着され、端子収容部２４の後面２４Ａから後方に突出して設けられたゴム栓収容部２５の内部に収容されたゴム栓３０と、フード部５２の内周面と第１ハウジング２１の外周面との間に充填されたポッティング材６０とを備えた構成とした。【選択図】図５
2018006231.tif 000002
【特許請求の範囲】
【請求項１】
第１端子が内部に収容される端子収容部を有する第１ハウジングと、
前記第１ハウジングが内部に収容されるフード部を有し、前記フード部が全周に亘って環状につながって構成された第２ハウジングと、
前記第１端子に固着され、前記端子収容部の後面から後方に突出して設けられたゴム栓収容部の内部に収容されたゴム栓と、
前記フード部の内周面と前記第１ハウジングの外周面との間に充填されたポッティング材とを備えたコネクタ。
【請求項２】
前記端子収容部の後面は、前記フード部の内部に収容されており、前記フード部の内周面と前記端子収容部の後面と前記ゴム栓収容部の外周面との間に、前記ポッティング材が充填される充填空間が設けられている請求項１に記載のコネクタ。
【請求項３】
前記端子収容部は、前記フード部の奥端部に設けられた圧入凹部の内部に圧入される圧入突起を有し、前記圧入突起が前記圧入凹部の内部に圧入されることで前記端子収容部が前記フード部の内部に収容された状態に保持される請求項２に記載のコネクタ。
【発明の詳細な説明】
【技術分野】
【０００１】
本明細書によって開示される技術は、コネクタに関する。
【背景技術】
【０００２】
従来、端子間の短絡を防止するコネクタとして、例えば特開２０１４−１７０８５号公報（下記特許文献１）に記載のものが知られている。このコネクタは、第一ハウジングと、この第一ハウジングが内部に嵌合可能な収容部を有する第二ハウジングとを備えて構成されている。第一ハウジングには、ロック突起を有するロックアームが設けられている一方、第二ハウジングには、ロック突起が嵌まり込むロック孔が設けられている。第一ハウジングを第二ハウジングの収容部内に嵌合させると、ロック突起がロック孔に嵌まり込んで係止することにより、第一ハウジングと収容部が嵌合状態にロックされる。
【０００３】
収容部の奥部には、収容部と第一ハウジングが嵌合した際に、第一ハウジングの第一側嵌合面と嵌合方向に対向して配される第二側嵌合面が設けられており、第二側嵌合面からは、中継端子の前側接続部が前方に向かって突出している。また、第二側嵌合面には、第一ハウジングと収容部が嵌合した際に、第一側嵌合面に凹設された異物侵入防止凹部と嵌合方向に凹凸嵌合する異物侵入防止突部が突設されている。異物侵入防止突部と異物侵入防止凹部が凹凸嵌合することでラビリンス構造が構成され、隣り合う一対の前側接続部の沿面距離が長くなるようにされている。
【先行技術文献】
【特許文献】
【０００４】
【特許文献１】特開２０１４−  １７０８５号公報
【発明の概要】
【発明が解決しようとする課題】
【０００５】
上記の構成では、沿面距離を長くすることで異物対策を行っているが、ロック孔から両嵌合面間に異物侵入が可能となっているため、完全な異物対策になっていない。そこで、第一ハウジングの外周面と収容部の内周面との間にゴムリングを追加することで両ハウジング間に侵入する異物を防止することも考えられるが、ロックアームを避けた位置にゴムリングを設ける必要があることから、コネクタが嵌合方向に大型化し、ゴムリングの厚みによって径方向にも大型化することになる。
【課題を解決するための手段】
【０００６】
本明細書によって開示されるコネクタは、第１端子が内部に収容される端子収容部を有する第１ハウジングと、前記第１ハウジングが内部に収容されるフード部を有し、前記フード部が全周に亘って環状につながって構成された第２ハウジングと、前記第１端子に固着され、前記端子収容部の後面から後方に突出して設けられたゴム栓収容部の内部に収容されたゴム栓と、前記フード部の内周面と前記第１ハウジングの外周面との間に充填されたポッティング材とを備えた構成とした。
【０００７】
このような構成によると、端子収容部の内部に異物が侵入することをゴム栓によって防止することができる。また、フード部が全周に亘って環状につながって構成されているから、フード部の内周面と第１ハウジングの外周面との間に異物が侵入することを防止すれば足り、この異物侵入対策をポッティング材によって行うことができる。このようにすると、フード部の内部に異物が侵入することを完全に防止することができる。
【０００８】
本明細書によって開示されるコネクタは、以下の構成としてもよい。
前記端子収容部の後面は、前記フード部の内部に収容されており、前記フード部の内周面と前記端子収容部の後面と前記ゴム栓収容部の外周面との間に、前記ポッティング材が充填される充填空間が設けられている構成としてもよい。
このような構成によると、充填空間が後方に開口する形態で設けられるから、ポッティング材を充填空間に充填しやすくなる。
【０００９】
前記端子収容部は、前記フード部の奥端部に設けられた圧入凹部の内部に圧入される圧入突起を有し、前記圧入突起が前記圧入凹部の内部に圧入されることで前記端子収容部が前記フード部の内部に収容された状態に保持される構成としてもよい。
このような構成によると、圧入突起を圧入凹部の内部に圧入することで両ハウジングを嵌合状態に保持することができるから、フード部にロック孔を設けなくてもよい。
【発明の効果】
【００１０】
本明細書によって開示されるコネクタによれば、フード部の内部に異物が侵入することを完全に防止することができる。
【図面の簡単な説明】
【００１１】
【図１】第１ハウジングの正面図
【図２】第１ハウジングの背面図
【図３】第２ハウジングの正面図
【図４】第１ハウジングを第２ハウジングのフード部の内部に嵌合させる前の状態を示した断面図
【図５】第１ハウジングを第２ハウジングのフード部の内部に嵌合させた後の状態を示した断面図
【図６】中継コネクタを第２ハウジング側から見た図
【図７】従来構造における第１ハウジングの正面図
【図８】従来構造における第１ハウジングと第２ハウジングの嵌合状態を示した断面図
【発明を実施するための形態】
【００１２】
＜実施形態＞
実施形態を図１から図８の図面を参照しながら説明する。本実施形態の中継コネクタ１０は、トランスミッションなどの機器側に設けられた第１コネクタ２０と、機器のケースに取り付けられた第２コネクタ５０とからなる。機器のケースの内部には、金属異物を含んだミッションオイルが循環している。
【００１３】
第１コネクタ２０は、図４に示すように、合成樹脂製の第１ハウジング２１と、第１ハウジング２１の内部に収容された第１端子２２と、第１ハウジング２１の前面から前方に突出して設けられた金属製の圧入突起２３とを備えて構成されている。
【００１４】
第１端子２２は、角筒形状をなす箱部２２Ａと、箱部２２Ａの後方に連なって設けられた圧着部２２Ｂとを備えて構成されている。箱部２２Ａの内部には、図示しない弾性接触片が設けられている。また、圧着部２２Ｂは、電線４０の芯線に圧着されるワイヤバレル部と、ゴム栓３０に圧着されるインシュレーションバレル部とからなり、インシュレーションバレル部には、ゴム栓３０と電線４０の被覆とが一括して固着されている。
【００１５】
第１ハウジング２１は、第１端子２２の箱部２２Ａを内部に収容する端子収容部２４と、ゴム栓３０を内部に収容するゴム栓収容部２５とを備えて構成されている。ゴム栓収容部２５は、端子収容部２４の後面２４Ａから後方に突出する形態で設けられている。端子収容部２４の内部には、箱部２２Ａに後方から係止することで箱部２２Ａを抜け止めする片持ち状のランス２４Ｂが設けられている。
【００１６】
ゴム栓収容部２５は、図２に示すように、複数の円筒部２５Ａが上下左右に並んで設けられた構成とされている。各円筒部２５Ａは、互いに連結されており、各円筒部２５Ａの内部にそれぞれゴム栓３０が収容されるようになっている。
【００１７】
端子収容部２４の前面（嵌合面）２４Ｃには、図１に示すように、一対の圧入突起２３が固定されている。圧入突起２３は、前方に突出する形態をなす圧入部２３Ａと、圧入部２３Ａの後部において上下方向に延びる形態をなす固定部２３Ｂとを備え、固定部２３Ｂが端子収容部２４の内部に埋設（インサート成形）されることで圧入突起２３が前方に抜け止めされた状態で端子収容部２４の前面２４Ｃに固定されている。端子収容部２４の上面２４Ｄには、誤組防止リブ２６が上方に突出する形態で設けられている。
【００１８】
第２コネクタ５０は、図４に示すように、合成樹脂製の第２ハウジング５１を有し、第２ハウジング５１には、第１ハウジング２１の端子収容部２４が内部に嵌合可能なフード部５２が設けられている。フード部５２は、端子収容部２４と嵌合する側に開口する形態をなし、全周に亘って環状につながって構成されている。
【００１９】
フード部５２は、図５に示すように、端子収容部２４と嵌合した状態では、端子収容部２４の前面２４Ｃと対面する嵌合底面５２Ａを有している。フード部５２の嵌合底面５２Ａには、複数の第２端子５３が開口部側に突出して設けられている。第２端子５３は、第１端子２２の箱部２２Ａの内部に嵌合した状態では、図示しない弾性接触片と弾性的に接触する。これにより、第１端子２２と第２端子５３は、導通可能に接続される。
【００２０】
図３に示すように、フード部５２の嵌合底面５２Ａには、一対の圧入凹部５４が設けられている。圧入凹部５４の内部には、第１コネクタ２０の圧入突起２３が圧入可能とされている。第１コネクタ２０の端子収容部２４を第２コネクタ５０のフード部５２の内部に嵌合させると、一対の圧入突起２３の圧入部２３Ａが一対の圧入凹部５４の内部に圧入されることで第１コネクタ２０と第２コネクタ５０が嵌合状態に保持されるとともに、第１端子２２と第２端子５３が導通可能に接続された状態に保持される。
【００２１】
また、フード部５２の内面には、誤組防止リブ２６が挿入される誤組防止凹部５５が設けられている。誤組防止凹部５５の内部は、第１コネクタ２０と第２コネクタ５０が正規の姿勢で嵌合した場合に、誤組防止リブ２６が進入可能とされている。したがって、第１コネクタ２０が上下逆の誤った姿勢で第２コネクタ５０に嵌合してしまうことを未然に防止できる。
【００２２】
さて、図５に示すように、第１コネクタ２０と第２コネクタ５０が嵌合した状態では、端子収容部２４の後面２４Ａがフード部５２の内部に収容されており、フード部５２の内周面と端子収容部２４の後面２４Ａとゴム栓収容部２５の外周面との間に、ポッティング材６０が充填される充填空間６１が設けられている。充填空間６１は、図６に示すように、ゴム栓収容部２５を全周に亘って囲む環状に設けられている。すなわち、ポッティング材６０は、端子収容部２４の外周面とフード部５２の内周面との間に形成される隙間を塞ぐ位置に設けられており、フード部５２の開口部から前記隙間を通って嵌合底面５２Ａにミッションオイルや金属異物などが浸入することを防止している。なお、充填空間６１がフード部５２の開口部側に開口しているため、充填空間６１にポッティング材６０を充填しやすいものとされている。
【００２３】
また、第１ハウジング２１の端子収容部２４の内部空間とゴム栓収容部２５の内部空間とは、互いに連通しており、ゴム栓収容部２５の内部にはゴム栓３０が装着されている。このため、ゴム栓収容部２５の開口部から内部に水が浸入することが防止されている。さらに、フード部５２の周壁には、ロック孔などの貫通孔が設けられておらず、フード部５２の周壁から内部に水が浸入することも防止されている。したがって、例えば細長い糸状の金属異物がフード部５２の内部に侵入して一対の第２端子５３を短絡させることはなく、フード部５２の内部に異物が侵入することを完全に防止することができる。
【００２４】
ここで、本実施形態の中継コネクタ１０の従来構造となる中継コネクタ１１０の構成を説明する。中継コネクタ１１０は、図８に示すように、第１コネクタ１２０と、フード部１３１を有する第２コネクタ１３０とからなり、第１コネクタ１２０は、フード部１３１の内部に嵌合可能とされている。本実施形態の中継コネクタ１０との相違は、ゴム栓がなく、フード部１３１にロック孔１３２が設けられており、ポッティング材が設けられていない点である。したがって、第１コネクタ１２０には、ゴム栓収容部が設けられておらず、端子収容部１２１のみが設けられている。
【００２５】
このような構成によると、ロック孔１３２からフード部１３１の内部に異物が侵入する経路Ｒ１、端子収容部１２１の後端開口部から内部に異物が侵入する経路Ｒ２、フード部１３１の内周面と端子収容部１２１の外周面との間から内部に異物が侵入する経路Ｒ３の３つが存在するため、フード部１３１の嵌合底面１３３に異物が侵入することを許容してしまう。一方、本願発明では、これら３つの経路Ｒ１、Ｒ２、Ｒ３が存在しないため、異物の侵入を確実に防止することができる。
【００２６】
また、従来の中継コネクタ１１０では、第１コネクタ１２０がロックアーム１２２を有しているため、図７に示すように、ロックアーム１２２およびその撓み空間の分だけ第１コネクタ１２０が上下方向に大型化してしまう。その点、本願発明では、圧入突起２３を圧入凹部５４の内部に圧入することで第１コネクタ２０と第２コネクタ５０とを嵌合状態に保持できるため、ロックアームの分だけ第１コネクタ２０を上下方向に小型化できることになる。また、両コネクタ２０、５０のロック手段として圧入方式を採用しているため、撓み空間を設けることによる第１コネクタ２０の大型化を回避できるようになっている。また、圧入突起２３は、端子収容部２４の前面２４Ｃにおけるデッドスペースを利用してインサート成形されているため、余分なスペースを追加することなく、圧入突起２３を設けることができる。
【００２７】
以上のように本実施形態によると、端子収容部２４の内部に異物が侵入することをゴム栓３０によって防止することができる。また、フード部５２が全周に亘って環状につながって構成されているから、フード部５２の内周面と第１ハウジング２１の外周面との間に異物が侵入することを防止すれば足り、この異物侵入対策をポッティング材６０によって行うことができる。このようにすると、フード部５２の内部に異物が侵入することを完全に防止することができる。
【００２８】
端子収容部２４の後面は、フード部５２の内部に収容されており、フード部５２の内周面と端子収容部２４の後面とゴム栓収容部２５の外周面との間に、ポッティング材６０が充填される充填空間６１が設けられている構成としてもよい。
このような構成によると、充填空間６１が後方に開口する形態で設けられるから、ポッティング材６０を充填空間６１に充填しやすくなる。
【００２９】
端子収容部２４は、フード部５２の奥端部（嵌合底面５２Ａ）に設けられた圧入凹部５４の内部に圧入される圧入突起２３を有し、圧入突起２３が圧入凹部５４の内部に圧入されることで端子収容部２４がフード部５２の内部に収容された状態に保持される構成としてもよい。
このような構成によると、圧入突起２３を圧入凹部５４の内部に圧入することで両ハウジング２１、５１を嵌合状態に保持することができるから、フード部５２にロック孔を設けなくてもよい。
【００３０】
＜他の実施形態＞
本明細書によって開示される技術は上記記述及び図面によって説明した実施形態に限定されるものではなく、例えば次のような種々の態様も含まれる。
（１）上記実施形態ではフード部５２の内周面と端子収容部２４の後面２４Ａとゴム栓収容部２５の外周面との間に充填空間６１を設けているものの、フード部５２の内周面と端子収容部２４の後面２４Ａとによって構成される直角部のみにポッティング材を塗布してもよい。要するに、フード部５２の内周面と端子収容部２４の外周面との間に形成される隙間を後方から塞ぐ位置にポッティング材を塗布すればよい。
【００３１】
（２）上記実施形態では圧入突起２３を圧入凹部５４の内部に圧入することによって第１ハウジング２１と第２ハウジング５１を嵌合状態に保持しているものの、これらを設けることなく、ポッティング材６０を接着材とすることによって両ハウジング２１、５１を保持してもよい。
【００３２】
（３）上記実施形態では機器のケースに取り付けられる第２コネクタ５０を例示しているものの、第２コネクタは、機器のケースに取り付けられることなく、電線同士を接続するワイヤｔｏワイヤのコネクタとしてもよい。
【符号の説明】
【００３３】
１０…中継コネクタ
２１…第１ハウジング
２２…第１端子
２３…圧入突起
２４…端子収容部
２４Ａ…後面
２５…ゴム栓収容部
３０…ゴム栓
５１…第２ハウジング
５２…フード部
５２Ａ…嵌合底面（奥端部）
５４…圧入凹部
６０…ポッティング材
６１…充填空間
【図１】
2018006231.tif 000003
【図２】
2018006231.tif 000004
【図３】
2018006231.tif 000005
【図４】
2018006231.tif 000006
【図５】
2018006231.tif 000007
【図６】
2018006231.tif 000008
【図７】
2018006231.tif 000009
【図８】
2018006231.tif 000010